(57)【特許請求の範囲】
【請求項１】
セパレータを介して陽極箔と陰極箔とを重ね合わせたコンデンサ素子と、
前記コンデンサ素子を収納する外装ケースと、
前記陽極箔と前記陰極箔に電気的に接続され、前記外装ケースから引き出される各リード端子とを備えるコンデンサの製造方法において、
金属線の一対向面が幅広部及び該一対向面と直交する対向側面が幅狭部で構成された外形状の先端部をアルミニウム棒の一端に溶接されたリード端子が、
コンデンサへの加振力によってリード端子１本に働く応力が大きい方向に対して、前記幅広部の沿面が略平行となり、前記幅狭部の沿面が略直交して配置されるコンデンサ素子を形成することを特徴とするコンデンサの製造方法。
【請求項２】
前記応力を前記各リード端子の並び方向とその直交方向の成分に分解したとき、応力成分が大きい方向に対して、前記幅広部の沿面が略平行となり、前記幅狭部の沿面が略直交するように、前記先端部を前記アルミニウム棒に配置させたこと、
を特徴とする請求項１記載のコンデンサの製造方法。
【請求項３】
前記幅広部は、矩形状であり、最先端に向かって下る一対の傾斜面であり、
前記幅狭部は、前記一対の傾斜面を繋ぎ、最先端に向かって先細りする側部であること、
を特徴とする請求項１又は２に記載のコンデンサの製造方法。
【発明の詳細な説明】
【技術分野】
【０００１】
本発明はコンデンサ及びその製造方法に関する。
【背景技術】
【０００２】
自動車の電子化に伴う車載用途等のように、継続的に加振される環境下でのコンデンサの使用機会が増加している。その結果、コンデンサの応力集中箇所に破断が生じ、コンデンサがオープン状態となって本来の機能を発揮できなくなる虞がある。そこで、近年のコンデンサには振動に対する優れた耐久性能が要求されている。すなわち、加振されても機能低下が抑制され、またオープン状態となり難いコンデンサが要求されている。
【０００３】
コンデンサには、外部接続のためにリード端子を筐体外部に引き出すリード形がある。リード端子は、一部に丸棒部と平坦部とが連続的に連なった形状を有する。コンデンサが振動すると、丸棒部と平坦部との境界に応力集中が発生する。
【０００４】
そこで、丸棒部と平坦部との境界部分にショットピーニング処理を施す技術が提案されている（例えば特許文献１参照。）。この技術によれば、境界表層部に圧縮応力が付与されているため、丸棒部と平坦部との境界に振動に伴う圧縮や引張りによって曲げモーメントが加えられても、金属疲労による破断を遅延させることができる。
【先行技術文献】
【特許文献】
【０００５】
【特許文献１】特開２０１３−１４３５５６号公報
【発明の概要】
【発明が解決しようとする課題】
【０００６】
リード端子は、アルミニウム棒の一端面と金属線の先端部の間にアーク溶接電流を流すことによりアルミニウム棒の一端面と金属線の先端部を溶融させ、金属線をアルミニウム棒の端面に当接することにより、金属線とアルミニウム棒とを溶着させて構成される。
【０００７】
コンデンサにおいては、このアルミニウム棒と金属線との界面も応力集中箇所である。金属線は、鉄の周囲に銅を被覆し、さらに銅の周囲に半田濡れ性を改善するために錫が被覆して構成されている。この金属線とアルミニウム線との溶着部近傍は、金属線の銅や錫、アルミニウム棒のアルミニウム等から成る異種金属の溶接部が形成されることがある。この異種金属の溶接部と金属線との界面に応力が付与された場合、該界面を起点として亀裂が発生する虞がある。亀裂がさらに進展すると、金属線とアルミニウム棒の界面に隙間を発生させかねない。隙間の発生は最悪の場合、コンデンサをオープン状態に陥らせる。
【０００８】
本発明は、上記のような問題点を解決するために提案されたもので、アルミニウム棒と金属線との界面に応力が加わった場合においても機能低下への影響を少なくできるコンデンサを提供することを目的とする。
【課題を解決するための手段】
【０００９】
本発明は、セパレータを介して陽極箔と陰極箔とを重ね合わせたコンデンサ素子と、前記コンデンサ素子を収納する外装ケースと、前記陽極箔と前記陰極箔に電気的に接続され、前記外装ケースから引き出される各リード端子とを備えるコンデンサの製造方法において、金属線の一対向面が幅広部及び該一対向面と直交する対向側面が幅狭部で構成された外形状の先端部をアルミニウム棒の一端に溶接されたリード端子が、コンデンサへの加振力によってリード端子１本に働く応力が大きい方向に対して、前記幅広部の沿面が略平行となり、前記幅狭部の沿面が略直交して配置されるコンデンサ素子を形成することを特徴とする。
【００１０】
ここで、金属線は、コンデンサの製造工程において所望の長さに切断される。切断の際、金属線は一方向及びその対向方向から挟み切られて端部が潰される。その結果、金属線の先端部には、マイナスドライバーのように、緩い湾曲又は平坦となった幅広部と、刃によって潰されて小面積となった幅狭部とが形成される。
【００１１】
そして、コンデンサが実装された基板はその使用環境によっては振動を外部から受ける。基板が振動し、この基板の振動に応じてコンデンサが振動することで、振動によって生じた応力が金属線とアルミニウム棒の接続部に働き、亀裂が生じやすくなる。
【００１２】
このとき、コンデンサに付与される振動状態は、コンデンサの使用環境及び基板への配置方向によって変化し、アルミニウム棒と金属線との界面に働く曲げモーメントが大きい方向も異なる。更に、同じ曲げモーメントが加わっても、金属線の幅広部とアルミニウム棒との界面に曲げモーメントが加わった場合と、金属線の幅狭部とアルミニウム棒との界面に曲げモーメントが加わった場合とでは、アルミニウム棒と金属線の接続部における全体接触面積が異なるために、金属線の幅広部とアルミニウム棒との界面に曲げモーメントが加わった場合の方が応力が大きくなる。
【００１３】
そこで、金属線とアルミニウム棒との界面に応力が加わっても、その応力を小さく作用させて、応力の影響が小さくなるようにする。すなわち、振動が発生しても、アルミニウム棒との接触面積が大きい幅広部と該アルミニウム棒との界面に働く応力を小さくする。
【００１４】
具体的には、コンデンサの振動によってリード端子１本に働く応力が大きい方向に対して、幅広部の沿面が略平行となるように金属線をアルミニウム棒に配置させる。換言すると、幅狭部の沿面を応力が大きい方向と略直交させる。応力は、曲げモーメントを断面係数で除して表され、従って曲げモーメントの大きい方向に対して幅広部の沿面が略平行となるように金属線をアルミニウム棒に配置させるともいえる。
【００１５】
すなわち、加振力がコンデンサに付加された場合に、金属線の先端部に付加される最大曲げ応力σＭＡＸは、下記式１のように表される。そして、断面係数Ｚは、金属線の先端部が長方形の場合、下記式２のように計算できる。
式１：σＭＡＸ＝Ｍ／Ｚ
（Ｚ＝断面の形状に関係する係数（断面係数）、Ｍ＝曲げモーメント）
式２：Ｚ＝Ａ×Ｂの二乗／６
（Ａ＝加振力が付加される方向に対して垂直の辺、Ｂ＝加振力が付加される方向と平行の辺）
【００１６】
上記式１及び式２により、加振力が付加される方向と垂直方向の辺を幅広部としたとき（幅広部をＡとしたとき）に比べ、加振力が付加される方向と平行の辺を幅広部としたとき（幅広部をＢとしたとき）のほうが断面係数Ｚは大きくなる。断面係数Ｚを式１に当てはめて最大曲げ応力σＭＡＸを計算すると、加振力が付加される方向と平行の辺を幅広部にしたほうが最大曲げ応力σＭＡＸは小さくなることがわかる。
【００１７】
従って、リード端子に加わる応力が大きくなる方向、換言すると曲げモーメントの大きい方向に対して、幅広部を略平行にし、幅狭部とを略直交させることで、その方向の応力を小さく抑制することが可能となり、界面に亀裂が生じ難くなり、金属線とアルミニウム棒の接続性を維持できるものである。
【００１８】
尚、幅広部と幅狭部は、金属線を所望の長さに切断する際に生じる他、意図的に形成される場合もある。切断によっては、上下から刃によって金属線が挟み切られて端部の上下が潰される。その結果として、先端部は、矩形状であり、最先端の線中心に向かって下る一対の傾斜面と、一対の傾斜面を繋ぎ、最先端に向かって先細りする側部により周面が形成される。この傾斜面が幅広部となり、側部が幅狭部となる。
【発明の効果】
【００１９】
本発明によれば、コンデンサが振動してもアルミニウム棒と金属線との界面に加わる応力が抑制されるため、コンデンサの機能低下への影響を少なくすることができる。
【図面の簡単な説明】
【００２０】
【図１】実施形態に係るコンデンサを示す断面図である。
【図２】リード端子の作成工程に係り、金属線を切断する工程を示す模式図である。
【図３】金属線の先端部を示す模式図である。
【図４】リード端子の作成工程に係り、金属線をアルミニウム棒に溶接する工程を示す模式図である。
【図５】コンデンサの第１の実装態様を示す模式図である。
【図６】コンデンサの第１の実装態様に係り、金属線のアルミニウム棒への配置向きを示す模式図である。
【図７】コンデンサの第２の実装態様を示す模式図である。
【図８】コンデンサの第２の実装態様に係り、金属線のアルミニウム棒への配置向きを示す模式図である。
【図９】耐振動性の低い方向と幅広部の沿面方向の各関係に応じて発生する隙間を示す断面図である。
【発明を実施するための形態】
【００２１】
（構成）
以下、本発明に係るコンデンサの実施形態について図面を参照しつつ詳細に説明する。電解コンデンサや電気二重層コンデンサ等のコンデンサ１は、静電容量により電荷の蓄電及び放電を行う受動素子である。本発明のコンデンサ１は、図１に示すように、外部接続用のリード端子５が引き出されたリード形である。
【００２２】
電解コンデンサを例に採り説明すると、図１に示すように、コンデンサ１は、電解液を含浸させたコンデンサ素子２を外装ケース４に収納し、封口体３で外装ケース４を封止し、封口体３からリード端子５を引き出して構成される。コンデンサ素子２は、アルミニウムなどの弁金属箔の酸化皮膜を誘電体層として形成した陽極箔と、同種または他の金属の箔によりなる陰極箔とを対向させ、陽極箔と陰極箔との間にセパレータを介在させて構成されている。リード端子５は、コンデンサ素子２の陽極箔と陰極箔とにステッチ接続やコールドウェルド、超音波接続等により接続されている。
【００２３】
このリード端子５は、アルミニウム棒７と金属線６とを同軸上に直線的に並べて接続して成る。金属線６は、鉄線の周囲に銅を被覆し、更にその上に例えば錫や金、銀等で表面をメッキしたものや、鉄線を用いずに銅線に錫や金、銀等で表面をメッキしたものを用いることができる。図２に示すように、金属線６は所望の長さに切断して用いられる。一般的には、金属線６は対向刃で所望の長さに挟み切られる。そのため、金属線６は、先端部６１が刃で潰されてマイナスドライバーのように形状変化している。
【００２４】
すなわち、金属線６の周囲に正面、背面、左側面、右側面を規定すると、図３に示すように、金属線６の先端部６１の外形状は、正面及び背面の幅広部６２と、左側面及び右側面の幅狭部６３によって構成される。幅広部６２は、矩形の傾斜面であり、潰れによって湾曲又は平坦な面となり、最先端に向かって下る。幅狭部６３は、傾斜面を繋ぐ側部であり、最先端に向けて先細りする。この金属線６は、先端部６１の幅広部６２に対して幅狭部６３の面積が小さい。尚、先細りにすることで、金属線６とアルミニウム棒７との溶接時のアーク溶接電流を流す工程で、放電しやすくなり、また、溶融したアルミニウム棒７に押し込み易くなる。
【００２５】
アルミニウム棒７は、加工前は金属線６よりも大径の円柱体である。図４に示すように、金属線６の先端部６１とアルミニウム棒７の一端面の間に溶接電流を流すことによってアルミニウム棒７の端面を溶融させつつ、金属線６の先端部６１を押し込んでいく。金属線６を構成する鉄の融点はおよそ１５００℃であり、一方のアルミニウム棒７を構成するアルミニウムの融点はおよそ６６０度であるため、金属線６とアルミニウム棒７の間に溶接電流を流すと、アルミニウム棒７の一端面が多く溶融する。この溶融したアルミニウム棒７に金属線６が押し込まれることで溶接される。また、アルミニウム棒７の一端面には、溶解したアルミニウムと金属線６の表面を被覆していた錫の合金層７３が形成される。
【００２６】
更に、アルミニウム棒７は、金属線６を接続した端面とは反対側がプレス加工等により潰される。このアルミニウム棒７は、金属線６が接続された丸棒部７１とプレス加工により潰された平坦部７２とが連続して成る。リード端子５は、この平坦部７２が陽極箔及び陰極箔に接続されることにより、陽極箔と陰極箔とに電気的に接続される。
【００２７】
ここで、リード端子５においては、アルミニウム棒７に対する金属線６の配置向きを所定に定めている。具体的には、１本のリード端子５に加わる応力が大きくなる方向と金属線６の先端部６１に形成された幅広部６２の沿面とが略平行となり、幅狭部６３の沿面が略直交するように、金属線６をアルミニウム棒７に配置させている。換言すると、１本のリード端子５に加わる曲げモーメントが大きくなる方向と金属線６の先端部６１に形成された幅広部６２の沿面とが略平行となり、幅狭部６３の沿面が略直交するように、金属線６をアルミニウム棒７に配置させている。尚、幅広部６２又は幅狭部６３が湾曲している場合、両端を結んだ線分と、リード端子５に加わる応力が大きい方向とが略平行又は略直交すればよい。
【００２８】
金属線６の配置向きについて具体例を挙げてより詳細に説明する。図５に示すように、リード端子５を基板１０に対して垂直に真っ直ぐ降ろすようにしてコンデンサ１を実装したものとする。また、リード端子の断面積がＸＹＺ軸方向の何れも同じであり、また外部から付与される加振力をＸＹＺ軸各方向に分解した各成分が同じであるとする。このとき、２本のリード端子５が並ぶＸ軸方向、２本のリード端子５の並びと直交するＹ軸方向、及びリード端子５の延び方向と平行なＺ軸方向のうち、１本のリード端子５に働く応力が最も大きくなるのがＹ軸方向であり、次にＸ軸方向が小さく、Ｚ軸方向の応力は最も小さい。
【００２９】
このように振動による影響の大きさが異なるのは、Ｘ軸方向の振動に対しては、振動方向に対してリード端子５が２本で支えているのに対し、Ｙ軸方向の振動に対しては、振動方向に対してリード端子５が１本で支えている状態であるためである。このとき、Ｘ軸方向の応力成分は、曲げモーメントのＸ軸方向の成分がＹ軸方向と比べて半分となり、断面積が同じであるため、半分となる。なお、Ｚ軸方向の振動に対しては、リード端子５が折り曲がる方向への振動ではないので、耐振動性が強い方向となる。
【００３０】
すなわち、この実装態様ではＹ軸方向が最も振れ易く、リード端子５に働く応力が大きくなる。そこで、図６に示すように、２本のリードの並びと直交するＹ軸方向と幅広部６２が略平行となり、該Ｙ軸方向と幅狭部６３とが略直交するように、金属線６の先端部６１をアルミニウム棒７に配置させる。
【００３１】
また、図７に示すように、リード端子５の金属線６を９０度折り曲げてコンデンサ１を基板１０に対して横倒しに寝かすように実装し、基板１０は実装面を垂直に立てて配置したものとする。また、リード端子５の断面積がＸＹＺ軸方向の何れも同じであり、また外部から付与される加振力をＸＹＺ軸各方向に分解した各成分が同じであるとする。この場合の応力について比較すると、応力が最も大きいのはＸ軸方向であり、次にＹ軸方向が大きく、Ｚ軸方向は応力が最も小さい。
【００３２】
すなわち、この実装態様ではＸ軸方向が最も振れ易い。そこで、図８に示すように、２本のリード端子５の並びと平行なＸ軸方向と幅広部６２が略平行となり、該Ｙ軸方向と幅狭部６３とが略直交するように、金属線６の先端部６１をアルミニウム棒７に突入させる。
【００３３】
（作用効果）
図９の（ａ）に示すように曲げモーメントが大きい方向と幅広部６２の沿面とが直交していると、アルミニウム棒７と幅広部６２との界面に働く応力が大きくなり、揺動によりアルミニウム棒７との幅広部６２が該アルミニウム棒７の界面に強く突き当たってしまう。その結果、金属線６とアルミニウム棒７との界面には、亀裂が生じ易くなり、さらに振動が加わって応力が付与され続けると金属線６とアルミニウム棒７とが分離し、幅広部６２と同程度の幅の大きな隙間８が生じてしまう。
【００３４】
一方、図９の（ｂ）に示すように曲げモーメントが大きい方向と幅広部６２とが略平行の場合、幅広部６２はアルミニウム棒７との界面を擦れるように平行に揺動するだけで強く突き当たることはない。また、曲げモーメントが相対的に小さい方向と幅広部６２が略直交するので、断面係数が小さくともアルミニウム棒７と幅広部６２との界面に働く応力も小さくなる。その結果、アルミニウム棒７と幅広部６２とが分離し難くなり、その界面には隙間８は生じ難い。
【００３５】
先端部６１の幅狭部６３に関してはアルミニウム棒７の界面と突き当ってしまうが、曲げモーメントが大きい方向と幅狭部６３とが略直交であっても、幅狭部６３の断面積が幅広部６２よりも小さい故に断面係数も大きくとも、アルミニウム棒７と幅狭部６３との界面に働く応力は小さくなる。従って、アルミニウム棒７と幅狭部６３とが分離し難くなり、例え分離しても先細った幅狭部６３と同程度の幅の小さな隙間８の発生で済む。
【００３６】
このように、金属線６の先端部６１に形成された幅広部６２の沿面が１本のリード端子５に働く応力が大きい方向と略平行となるように金属線６をアルミニウム棒７に配置すると、アルミニウム棒７と金属線６との界面に生じる応力を低減させることができ、加振により圧縮と引張りが繰り返されてもアルミニウム棒７と金属線６との界面に亀裂の発生や破壊が抑制される。その結果、加振が繰り返されてもコンデンサ１がオープン状態に陥る可能性も低く抑えられる。すなわち、コンデンサ１の耐振動性が向上する。
【００３７】
コンデンサ１の配置や使用環境によっては、加振方向がリード端子５の並び方向や直交方向に沿っていない場合がある。この場合、１本のリード端子５に働く応力や曲げモーメントをリード端子５の並び方向と直交方向に成分分解し、応力成分や曲げモーメント成分が大きい方向を応力が大きい方向や曲げモーメントが大きい方向とすればよい。また、完全に応力が大きい方向や曲げモーメント大きい方向に幅広部６２を略平行としなくとも、リード端子５の並び方向と直交方向に分解した応力成分が同等になるように、幅広部６２の沿面の向きを調整するようにしてもよい。
【００３８】
但し、コンデンサ１が基板１０に立つようにリード端子５を基板１０に対して垂直に降ろして実装した場合、リード端子５の直交方向と幅広部６２の沿面が沿うように配置することで、ほとんどの場合、応力が大きい方向や曲げモーメントが大きい方向と幅広部６２とを略平行とすることができる。
【００３９】
すなわち、先端に幅広部６２と幅狭部６３の無い円柱のリード端子５をコンデンサ１に取り付け、そのリード端子５の並び方向（Ｘ軸方向）と直交方向（Ｙ軸方向）の各々に同じ加振力を与えた場合、下記表のように、リード端子５の直交方向には並び方向の６．７倍に及ぶ応力が働いていた。下記表は、リード端子５の並び方向（Ｘ軸方向）と直交方向（Ｙ軸方向）に、コンデンサ１を３２．５Ｇの加速度で振動させ、１本のリード端子５に働く応力をＣＡＥ解析により計測した結果である。
【００４０】
0006503672.tif 000002
【００４１】
ＣＡＥ解析の結果が示すように、リード端子５の並び方向と直交方向とにおける応力比の差が大きいので、リード端子５の直交方向と幅広部６２の沿面が沿うように配置することで、ほとんどの場合、応力が大きい方向や曲げモーメントが大きい方向と幅広部６２とを略平行とすることができる。もちろん、応力や曲げモーメントの解析を経てアルミニウム棒７と金属線６の配置を決定することもできる。
【００４２】
また、コンデンサ１が基板１０に対して立つようにリード端子５を基板１０に対して垂直に降ろして実装した場合、平坦部７２は幅広部６２と同一方向を向くように形成する。この実装態様で、リード端子５の並びと直交方向の振動が強い環境下でコンデンサ１を使用する場合は、平坦部７２は幅狭部６３と同一方向を向くように形成する。このように規定することで、幅広部６２を所望の方向に向けてコンデンサ１を製造することが容易になる。
【００４３】
ここで、実際に、次のようなリード端子５の折曲げ試験を行った。すなわち、金属線６の先端を保持してコンデンサ１を動かし、リード端子５を３０回折り曲げて、金属線６とアルミニウム棒７の隙間８の発生状況を調べた。リード端子５を片側に９０°折曲げ、元に戻すのを１回の折り曲げとしてカウントし、その後、反対側に９０°折曲げ、元に戻した。１回の折り曲げを開始してから終了まで１秒かかるように、折曲げ速度を調整した。
【００４４】
このような折曲げ試験方法により、折曲げ方向と金属線６の幅広部６２の沿面が平行となった第１のコンデンサ１と、折曲げ方向と金属線６の幅広部６２の沿面が直交した第２のコンデンサについて、それぞれ２０個の試験を行ったところ、第１のコンデンサ１については、１個もアルミニウム棒７から金属線６が抜けることはなかった。一方、第２のコンデンサについては、１０個がアルミニウム棒７から金属線６が抜けてしまった。
【００４５】
つまり、折曲げ方向と金属線６の幅広部６２が直交した第２のコンデンサについては、折り曲げた方向と反対側の幅広部６２とアルミニウム棒７との界面に大きな応力が加わり、抜けが発生するほど大きな隙間８が生じてしまった。一方、折曲げ方向と金属線６の幅広部６２が平行となった第１のコンデンサ１については、金属線６とアルミニウム棒７との界面に応力が加わるが、発生する隙間８は小さく、抜けが発生するほどに至らなかった。
【００４６】
以上のようなコンデンサ１は、コンデンサ１の実装態様やコンデンサ１を実装した機器の使用態様や使用環境によって、コンデンサ１の加振力が大きい方向とは異なる方向の応力成分が大きくなることもある。この場合、応力成分が最も大きい方向と幅広部６２が略平行となるように、金属線６の先端部６１をアルミニウム棒７に配置させるようにしてもよい。
【００４７】
また、コンデンサ１に関して電解コンデンサを例に説明したが、リード形であり、且つ金属線６をアルミニウム棒７に配置させることによりリード端子５を形成したあらゆるコンデンサについて本発明を適用可能であることはいうまでもない。
【符号の説明】
【００４８】
１  コンデンサ
２  コンデンサ素子
３  封口体
４  外装ケース
５  リード端子
６  金属線
６１  先端部
６２  幅広部
６３  幅狭部
７  アルミニウム棒
７１  丸棒部
７２  平坦部
７３  合金層
８  隙間
１０  基板
【図１】
0006503672.tif 000003
【図２】
0006503672.tif 000004
【図３】
0006503672.tif 000005
【図４】
0006503672.tif 000006
【図５】
0006503672.tif 000007
【図６】
0006503672.tif 000008
【図７】
0006503672.tif 000009
【図８】
0006503672.tif 000010
【図９】
0006503672.tif 000011